(57)【要約】      （修正有）【課題】試料回収バッグおよび試料回収システムを提供する。【解決手段】試料バッグ１００の内容物を視認するためのシステムであって、システムは、試料バッグと、スコープＳとを備え、試料バッグは、それを通して組織を試料バッグの空洞内に留置するために構成される、開放端１００ａを備え、試料バッグは、試料バッグの伸展可能部分を伸展させるようにスコープと係合されるように構成される伸展可能部分を備え、スコープは、ユーザが試料バッグの内容物を視認するように動作可能である、システム。【選択図】図１
2017213361.tif 000002
【特許請求の範囲】
【請求項１】
試料バッグの内容物を視認するためのシステムであって、前記システムは、
試料バッグと、スコープとを備え、
前記試料バッグは、それを通して組織を前記試料バッグの空洞内に留置するために構成される、開放端を備え、
前記試料バッグは、前記試料バッグの伸展可能部分を伸展させるように前記スコープと係合されるように構成される伸展可能部分を備え、
前記スコープは、ユーザが前記試料バッグの内容物を視認するように動作可能である、
システム。
【請求項２】
前記スコープは、前記スコープが前記試料バッグの伸展可能部分と係合される間、前記試料バッグ内のビューを調節するように操作可能である、請求項１に記載のシステム。
【請求項３】
前記試料バッグの伸展可能部分は、前記試料バッグ全体を含む、請求項１に記載のシステム。
【請求項４】
前記試料バッグの伸展可能部分は、前記試料バッグの複数の伸展可能区分を含む、請求項１に記載のシステム。
【請求項５】
前記試料バッグの開放端は、組織内の切開を通して位置付けられるように構成される、請求項１に記載のシステム。
【請求項６】
モルセレータをさらに含み、前記モルセレータは、前記空洞内の組織を細切除去するように構成される、請求項１に記載のシステム。
【請求項７】
試料バッグの内容物を視認するためのシステムであって、
前記システムは、試料バッグと、保護スリーブと、スコープとを備え、
前記試料バッグは、それを通して組織を前記試料バッグの空洞内に留置するために構成される、開放端を備え、
前記スコープは、遠位端を備え、前記保護スリーブは、前記スコープの遠位端を中心として位置付けられるように構成され、
前記スコープの遠位端は、前記試料バッグ内の開口部を通して挿入されるように構成され、
前記スコープは、ユーザが前記試料バッグの内容物を視認するように動作可能である、
システム。
【請求項８】
前記スコープの遠位端は、前記試料バッグのポートを通して挿入されるように構成される、請求項７に記載のシステム。
【請求項９】
前記スコープは、前記スコープが前記試料バッグ内の開口部を通して受容される間、操作可能である、請求項７に記載のシステム。
【請求項１０】
前記試料バッグの開放端は、組織内の切開を通して位置付けられるように構成される、請求項７に記載のシステム。
【請求項１１】
モルセレータをさらに含み、前記モルセレータは、前記空洞内の組織を細切除去するように構成される、請求項７に記載のシステム。
【請求項１２】
前記スコープの遠位端は、前記ポートが前記保護スリーブを前記スコープの遠位端から剥奪するように、前記ポートから除去されるように構成される、請求項７に記載のシステム。
【発明の詳細な説明】
【技術分野】
【０００１】
（関連出願の相互参照）
本願は、２０１６年５月１０日に出願された米国仮特許出願第６２／３３４，０２０号の利益およびそれに対する優先権を主張するものであり、該仮出願の全体の開示は、参照により本明細書中に援用される。
【０００２】
本開示は、概して、低侵襲性外科手術手技の間の試料バッグを使用した組織除去に関する。より具体的には、本開示は、体腔内の試料バッグ中の組織を視認するための試料バッグおよび／または試料バッグを使用する方法に関する。
【背景技術】
【０００３】
例えば、腹腔鏡下胆嚢摘出術等の低侵襲性外科手術手技の間、試料バッグ内への除去されるべき胆嚢または他の組織の留置に続いて、試料バッグの開放端が、腹壁内の切開を通して後退され、試料バッグの内部へのアクセスを可能にする。モルセレータが、次いで、試料バッグ内に受容され、組織を細切除去し、大部分の事例では、除去し得る。いったん組織が試料バッグから除去されると、またはいったん組織が切開を通した試料バッグの除去を可能にするために十分にサイズが縮小されると、試料バッグは、切開を通して除去される。細切除去の間、試料バッグの内容物を可視化する能力は、臨床医が、組織をモルセレータの中に指向することを可能にし、および／または臨床医が、組織が十分に細切除去されると、それを判定することを可能にし、それによって、切開を通した試料バッグの除去を可能にするであろう。
【０００４】
したがって、臨床医が、体腔内での腹腔鏡下手技の間、試料バッグの内容物を視認することを可能にする、試料バッグおよび試料バッグの使用方法を提供することが有利となるであろう。
【発明の概要】
【課題を解決するための手段】
【０００５】
故に、試料バッグの内容物を視認する方法が、提供される。本方法は、組織を試料バッグの開放端を通して試料バッグの空洞内に留置するステップと、試料バッグの伸展可能部分とスコープを係合させ、試料バッグの伸展可能部分を伸展させるステップと、スコープを動作させ、試料バッグの内容物を視認するステップとを含む。
【０００６】
実施形態では、本方法はさらに、スコープが試料バッグの伸展可能部分と係合される間、スコープを操作し、試料バッグ内のビューを調節するステップを含む。試料バッグの伸展可能部分は、試料バッグ全体を含んでもよい。試料バッグの伸展可能部分は、試料バッグの複数の伸展可能区分を含んでもよい。本方法はさらに、空洞内の組織を操作するステップを含んでもよい。本方法はまた、試料バッグの開放端を組織内の切開を通して位置付けるステップを含んでもよい。本方法は、空洞内の組織を細切除去するステップを含んでもよい。
【０００７】
試料バッグの内容物を視認する別の方法が、提供される。本方法は、組織を試料バッグの開放端を通して試料バッグの空洞内に留置するステップと、保護スリーブをスコープの遠位端を中心として位置付けるステップと、スコープの遠位端を試料バッグ内の開口部を通して挿入するステップと、スコープを動作させ、試料バッグの内容物を視認するステップとを含む。
【０００８】
実施形態では、スコープの遠位端を挿入するステップは、スコープの遠位端を試料バッグのポートを通して挿入するステップを含む。本方法はまた、スコープが試料バッグ内の開口部を通して受容される間、スコープを操作するステップを含んでもよい。本方法はさらに、空洞内の組織を操作するステップを含んでもよい。加えて、本方法は、試料バッグの開放端を組織内の切開を通して位置付けるステップを含んでもよい。本方法はまた、空洞内の組織を細切除去するステップを含んでもよい。本方法はさらに、ポートが保護スリーブをスコープの遠位端から剥奪するように、スコープの遠位端をポートから除去するステップを含んでもよい。
例えば、本発明は、以下を提供する。
項目１．
試料バッグの内容物を視認するためのシステムであって、上記システムは、
試料バッグと、スコープとを備え、
上記試料バッグは、それを通して組織を上記試料バッグの空洞内に留置するために構成される、開放端を備え、
上記試料バッグは、上記試料バッグの伸展可能部分を伸展させるように上記スコープと係合されるように構成される伸展可能部分を備え、
上記スコープは、ユーザが上記試料バッグの内容物を視認するように動作可能である、
システム。
項目２．
上記スコープは、上記スコープが上記試料バッグの伸展可能部分と係合される間、上記試料バッグ内のビューを調節するように操作可能である、先行項目に記載のシステム。
項目３．
上記試料バッグの伸展可能部分は、上記試料バッグ全体を含む、先行項目のいずれかに記載のシステム。
項目４．
上記試料バッグの伸展可能部分は、上記試料バッグの複数の伸展可能区分を含む、先行項目のいずれかに記載のシステム。
項目５．
上記試料バッグの開放端は、組織内の切開を通して位置付けられるように構成される、先行項目のいずれかに記載のシステム。
項目６．
モルセレータをさらに含み、上記モルセレータは、上記空洞内の組織を細切除去するように構成される、先行項目のいずれかに記載のシステム。
項目７．
試料バッグの内容物を視認するためのシステムであって、
上記システムは、試料バッグと、保護スリーブと、スコープとを備え、
上記試料バッグは、それを通して組織を上記試料バッグの空洞内に留置するために構成される、開放端を備え、
上記スコープは、遠位端を備え、上記保護スリーブは、上記スコープの遠位端を中心として位置付けられるように構成され、
上記スコープの遠位端は、上記試料バッグ内の開口部を通して挿入されるように構成され、
上記スコープは、ユーザが上記試料バッグの内容物を視認するように動作可能である、
システム。
項目８．
上記スコープの遠位端は、上記試料バッグのポートを通して挿入されるように構成される、先行項目に記載のシステム。
項目９．
上記スコープは、上記スコープが上記試料バッグ内の開口部を通して受容される間、操作可能である、先行項目のいずれかに記載のシステム。
項目１０．
上記試料バッグの開放端は、組織内の切開を通して位置付けられるように構成される、先行項目のいずれかに記載のシステム。
項目１１．
モルセレータをさらに含み、上記モルセレータは、上記空洞内の組織を細切除去するように構成される、先行項目のいずれかに記載のシステム。
項目１２．
上記スコープの遠位端は、上記ポートが上記保護スリーブを上記スコープの遠位端から剥奪するように、上記ポートから除去されるように構成される、先行項目のいずれかに記載のシステム。
項目Ａ１．
試料バッグの内容物を視認する方法であって、
組織を試料バッグの開放端を通して試料バッグの空洞内に留置するステップと、
試料バッグの伸展可能部分を伸展させるように、試料バッグの伸展可能部分とスコープを係合させるステップと、
スコープを動作させ、試料バッグの内容物を視認するステップと、
を含む、方法。
項目Ａ２．
スコープが試料バッグの伸展可能部分と係合される間、スコープを操作し、試料バッグ内のビューを調節するステップをさらに含む、先行項目に記載の方法。
項目Ａ３．
試料バッグの伸展可能部分は、試料バッグ全体を含む、先行項目のいずれかに記載の方法。
項目Ａ４．
試料バッグの伸展可能部分は、試料バッグの複数の伸展可能区分を含む、先行項目のいずれかに記載の方法。
項目Ａ５．
空洞内の組織を操作するステップをさらに含む、先行項目のいずれかに記載の方法。
項目Ａ６．
試料バッグの開放端を組織内の切開を通して位置付けるステップをさらに含む、先行項目のいずれかに記載の方法。
項目Ａ７．
空洞内の組織を細切除去するステップをさらに含む、先行項目のいずれかに記載の方法。
項目Ａ８．
試料バッグの内容物を視認する方法であって、
組織を試料バッグの開放端を通して試料バッグの空洞内に留置するステップと、
保護スリーブをスコープの遠位端を中心として位置付けるステップと、
スコープの遠位端を試料バッグ内の開口部を通して挿入するステップと、
スコープを動作させ、試料バッグの内容物を視認するステップと、
を含む、方法。
項目Ａ９．
スコープの遠位端を挿入するステップは、スコープの遠位端を試料バッグのポートを通して挿入するステップを含む、先行項目に記載の方法。
項目Ａ１０．
スコープが試料バッグ内の開口部を通して受容される間、スコープを操作するステップをさらに含む、先行項目のいずれかに記載の方法。
項目Ａ１１．
空洞内の組織を操作するステップをさらに含む、先行項目のいずれかに記載の方法。
項目Ａ１２．
試料バッグの開放端を組織内の切開を通して位置付けるステップをさらに含む、先行項目のいずれかに記載の方法。
項目Ａ１３．
空洞内の組織を細切除去するステップをさらに含む、先行項目のいずれかに記載の方法。
項目Ａ１４．
ポートが保護スリーブをスコープの遠位端から剥奪するように、スコープの遠位端をポートから除去するステップをさらに含む、先行項目のいずれかに記載の方法。
（摘要）
試料バッグの内容物を視認する方法は、組織を試料バッグの開放端を通して試料バッグの空洞内に留置するステップと、試料バッグの伸展可能部分とスコープを係合させ、試料バッグの伸展可能部分を伸展させるステップと、スコープを動作させ、試料バッグの内容物を視認するステップとを含む。
【図面の簡単な説明】
【０００９】
本明細書に組み込まれ、その一部を構成する、付随の図面は、本開示の実施形態を図示し、上記に与えられる本開示の一般的説明および下記に与えられる発明を実施するための形態とともに、本開示の原理を説明する役割を果たす。
【００１０】
【図１】図１は、本開示のある実施形態による、試料バッグの斜視側面図である。
【００１１】
【図１Ａ】図１Ａは、図１の線１Ａ−１Ａに沿った断面上面図である。
【００１２】
【図２】図２は、本開示の別の実施形態による、試料バッグの斜視側面図である。
【００１３】
【図３】図３は、本開示の別の実施形態による、試料バッグの斜視側面図である。
【００１４】
【図３Ａ】図３Ａは、図３に示される試料バッグの視認ポートの拡大斜視側面図である。
【００１５】
【図４】図４は、本開示の別の実施形態による、試料バッグの斜視側面図である。
【００１６】
【図５】図５は、本開示の別の実施形態による、試料バッグの斜視側面図である。
【００１７】
【図５Ａ】図５Ａは、第１の位置における図５の試料バッグと併用するために好適な操向機構の斜視側面図である。
【００１８】
【図５Ｂ】図５Ｂは、第２の位置における図５Ａに示される操向機構の斜視側面図である。
【００１９】
【図６】図６は、本開示の別の実施形態による、試料バッグの斜視側面図である。
【００２０】
【図７】図７は、本開示のある実施形態による、試料バッグの斜視側面図である。
【００２１】
【図８】図８は、本開示のある実施形態による、試料バッグの斜視側面図である。
【００２２】
【図９】図９は、本開示のある実施形態による、試料バッグの斜視側面図である。
【００２３】
【図１０】図１０は、本開示のある実施形態による、試料バッグの斜視側面図である。
【００２４】
【図１１】図１１は、本開示のある実施形態による、試料バッグの斜視側面図である。
【００２５】
【図１２】図１２は、本開示のある実施形態による、試料バッグの斜視側面図である。
【００２６】
【図１３Ａ】図１３Ａは、その中へのスコープの受容に先立った、本開示のある実施形態による、試料バッグの斜視側面図である。
【００２７】
【図１３Ｂ】図１３Ｂは、スコープがそれと係合される、図１３Ａに示される試料バッグの斜視側面図である。
【００２８】
【図１４Ａ】図１４Ａは、本開示のある実施形態による、試料バッグの斜視側面図である。
【００２９】
【図１４Ｂ】図１４Ｂは、スコープがポートを通してその中に受容された、図１４Ａに示される試料バッグの斜視側面図である。
【発明を実施するための形態】
【００３０】
本開示の実施形態が、図面を参照して詳細に説明されるが、類似参照番号は、いくつかの図のそれぞれにおいて、同じまたは対応する要素を指定する。本明細書で使用されるように、用語「遠位」は、ユーザから最も遠い器具の部分を指す一方、用語「近位」は、ユーザに最も近い器具の部分を指す。以下の説明では、周知の機能または構造は、本開示を不必要に詳細に曖昧にすることを回避するために、詳細に説明されない。用語「臨床医」は、限定ではないが、臨床医、医師、看護士、助手を含む、説明される実施形態と接触する、それを取り扱う、および／またはそれを動作させ得る、任意の人物を説明するために使用されるであろう。
【００３１】
本開示を参照して本明細書で使用されるように、用語「腹腔鏡」および「内視鏡」は、相互交換可能であって、カニューレまたは皮膚内の小切開の中に挿入するための比較的に狭い動作部分を有する、器具を指す。腹腔鏡および内視鏡はまた、低侵襲性外科手術手技を指す。本開示は、低侵襲性手技におけるようなカニューレまたは他のアクセスポートの使用の有無にかかわらず、身体の内部へのアクセスが１つまたはそれを上回る比較的に小切開に限定される、任意の手技における使用を見出し得ると考えられる。
【００３２】
試料バッグを患者内に挿入し、そこから回収するための種々の試料バッグ、器具、および方法は、公知である。例えば、共同所有の米国特許第５，６４７，３７２号、第５，４６５，７３１号、第６，４０９，７３３号、第５，０３７，３７９号、および第５，７３５，２８９号、ならびに米国特許出願公開第２０１４／０１３５７８８号は、種々の試料バッグ、アプリケータ、および試料バッグを展開するための方法を開示している。これらの特許および刊行物の内容は、参照することによってその全体として本明細書に組み込まれる。
【００３３】
本開示の側面は、低侵襲性手技の間、組織を回収するための種々の方法と併用するために修正されてもよい。本開示の実施形態は、胆嚢摘出術、例えば、胆嚢除去を参照して説明されるであろうが、本開示の実施形態は、他の低侵襲性手技、例えば、虫垂切除術、腎摘出術、結腸切除術、脾臓摘出術と併用するために使用または修正されてもよい。別様に注記されない限り、本開示の試料バッグは、リップストップナイロンまたは他の好適な材料から形成される。本開示の試料バッグは、引きひもまたは任意の他の好適な様式を使用して閉鎖されてもよく、試料バッグを体腔内に展開し、および／またはそこから回収するために必要な任意の特徴を含んでもよい。
【００３４】
前述のように、低侵襲性手技の間、いったん除去されるべき組織が、試料バッグ内に受容されると、試料バッグの開放端は、直接またはカニューレおよび／もしくはアクセスポートを通してのいずれかによって、切開を通して抜去され、組織を含有する試料バッグの部分が体腔内に留まったままで、試料バッグ内へのモルセレータの導入を可能にする。本明細書で使用されるように、用語「モルセレータ」は、組織をより小さい断片に切断する、切り刻む、液化する、または細切除去するための外科手術器具を指す。モルセレータは、電動または手動式であってもよく、概して、組織が細切除去されるにつれて、例えば、真空管を介して、または切断機構の動作を通して、組織を試料バッグから抽出するように構成される。空の試料バッグが、次いで、直接またはカニューレおよび／もしくはアクセスポートを通してのいずれかによって、患者から切開を通して抜去される。代替として、細切除去された組織は、試料バッグ内に留まり、試料バッグとともに、患者から切開を通して除去されることができる。
【００３５】
本明細書で使用されるように、用語「スコープ」は、臨床医による観察のために、画像等の情報をディスプレイ、例えば、モニタに伝送可能な任意の器具を指す。スコープは、固定視認端を有してもよい、または視認端は、関節運動可能であってもよい。スコープは、例えば、パノラマ、ズーム、または固定を含む、種々のレンズを有してもよい。スコープは、直接またはカニューレおよび／もしくはアクセスポートを通してのいずれかによって、切開を通した体腔の中へのアクセスのために構成されてもよい。スコープは、従来のカメラ、光ファイバカメラ、および／または暗視装置を含んでもよい。
【００３６】
モルセレータおよびスコープは、限定ではないが、トロカール、カニューレ、アクセスポート、および把持装置を含む、試料バッグおよび種々の他の器具と組み合わせて、低侵襲性外科手術の間、組織を体腔から除去するためのシステムを形成する。本開示の試料バッグは、種々の器具と併用するために修正されてもよいことが想定される。さらに、本開示の試料バッグを使用する方法も、所与の手技の必要性および／または臨床医の選好に対応するように修正されてもよいことが想定される。さらに、本明細書に開示される実施形態は、任意の組織または物体を身体から除去するために使用されてもよいことが想定される。胆嚢等の本明細書に提供される実施例は、単に、例示であって、本発明の範囲を限定することを意図するものではない。
【００３７】
最初に、図１を参照すると、本開示の実施形態が、概して、試料バッグ１００として示される。試料バッグ１００は、開放端１００ａと、閉鎖端１００ｂとを含み、仕切１０６によって、第１のチャンバ１０５および第２のチャンバ１０７に分割される、空洞１０３を画定する。患者から除去されるべき組織、例えば、胆嚢「Ｇ」が、第１のチャンバ１０５内に受容される。スコープ「Ｓ」が、第２のチャンバ１０７内に受容され、画像をディスプレイ、例えば、モニタ５０に伝送する。仕切１０６は、透明材料から形成され、第２のチャンバ１０７内から第１のチャンバ１０５の内容物の視認を可能にする。試料バッグ１００の第１のチャンバ１０５および第２のチャンバ１０７は、切開「Ｉ」を通して引動される、またはそれに隣接して位置付けられる、試料バッグ１００の開放端１００ａを通してアクセスされる。
【００３８】
腹腔鏡下手技の間、試料バッグ１００は、公知の方法を使用して、患者の体腔「Ｃ」内に受容され、位置付けられる。例えば、第‘３７２号特許（その内容は、参照することによって本明細書中に既に組み込まれている）を参照されたい。患者から除去されるべき組織、例えば、胆嚢「Ｇ」が、試料バッグ１００の開放端１００ａを通して、試料バッグ１００の第１のチャンバ１０５内に留置される。開放端１００ａは、次いで、患者「Ｐ」の切開「Ｉ」を通して後退され、臨床医に、試料バッグ１００の空洞１０３へのアクセス、より具体的には、第１のチャンバ１０５および第２のチャンバ１０７へのアクセスを提供する。モルセレータ「Ｍ」が、次いで、試料バッグ１００の開放端１００ａを通して第１のチャンバ１０５内に位置付けられ、スコープ「Ｓ」が、試料バッグ１００の開放端１００ａを通して第２のチャンバ１０７内に位置付けられる。
【００３９】
送気ガスが、それぞれ、試料バッグ１００の第１および第２のチャンバ１０５、１０７に提供され、第１および第２のチャンバ１０５、１０７を拡大し、可視化を改良することができる。実施形態では、送気ガスは、直接、モルセレータまたはスコープ「Ｓ」を通して、試料バッグ１００の第１および／または第２のチャンバ１０５、１０７に提供される。代替として、他の手段、例えば、送気トロカールが、第１および第２のチャンバ１０５、１０７に送気するために使用することもできる。モルセレータ「Ｍ」が第１のチャンバ１０５内で動作されるにつれて、第１のチャンバ１０５の内容物が、スコープ「Ｓ」を第２のチャンバ１０７内に指向し、少なくともその一部が透明または半透明であり得る、仕切１０６を通して第１のチャンバ１０５を視認することによって、臨床医によって、ディスプレイ、例えば、モニタ５０上で視認される。第１のチャンバ１０５からの細切除去された組織の除去に応じて、または組織のサイズが切開「Ｉ」を通した試料バッグ１００の除去を可能にするために十分に縮小されたことの臨床医による視覚的判定に応じて、モルセレータ「Ｍ」は、第１のチャンバ１０５内から除去され、スコープ「Ｓ」は、第２のチャンバ１０７内から除去される。試料バッグ１００（および細切除去された組織）は、次いで、患者「Ｐ」の切開「Ｉ」を通して体腔から除去される。
【００４０】
第１および第２のチャンバは、相互に対して任意の数の方法で位置付けられてもよいことが想定される。例えば、図１に示されるように、第１および第２のチャンバ１０５、１０７は、バッグの縦方向アクセスと略平行に配向される。代替として、第１および第２のチャンバは、バッグに対して横方向に、またはある角度で配向されてもよい。加えて、第１および第２のチャンバは、略等サイズであってもよい、または第１のチャンバは、第２のチャンバより大きいもしくはより小さくてもよい。加えて、少なくとも第３のチャンバと、少なくとも第２の少なくとも部分的に透明または半透明壁もしくは仕切とが存在してもよい。
【００４１】
ここで図２を参照すると、本開示による試料バッグの別の実施形態が、概して、試料バッグ２００として示される。試料バッグ２００は、開放端２００ａと、閉鎖端２００ｂとを含み、患者から除去されるべき組織、例えば、胆嚢「Ｇ」を受容するための空洞２０３を画定する。第１および第２の付属物２０４、２０６が、試料バッグ２００と一体的に形成される、またはそれに固着して添着される。２つの付属物を含むように示されるが、試料バッグ２００は、単一付属物のみまたは２つを上回る付属物を含んでもよいことが想定される。第１および第２の付属物２０４、２０６の各々は、それぞれ、試料バッグ２００の空洞２０３と連通し、そこへのアクセスを提供する、チャネル２０５、２０７を画定する。第１および第２の付属物２０４、２０６のチャネル２０５、２０７は、モルセレータ「Ｍ」、スコープ「Ｓ」、または他の器具（図示せず）を液密様式で選択的に受容するように定寸される。
【００４２】
実施形態では、第１および第２の付属物２０４、２０６は、試料バッグ２００から延在し、腹壁内の切開を通して受容されるように構成される。より具体的には、第１および第２の付属物２０４、２０６は、試料バッグ２００の開放端２００ａが、受容される、もしくは受容されるであろう、切開「Ｉ」を通して、もしくは切開「Ｉ」内に受容されたアクセスポート１０の開口部１３を通して、および／または代替切開、例えば、第２の切開「Ｉ２」を通して、受容されてもよい。代替として、第１および第２の付属物２０４、２０６の一方または両方は、手技の間、患者の体腔「Ｃ」内に留まるように構成される。このように、チャネル２０５、２０７は、体腔「Ｃ」内に受容された器具、例えば、鉗子、把持装置を用いてアクセスされることができる。第１および第２の付属物２０４、２０６の各々は、それぞれ、手技の間、キャップ（図示せず）を取り外す、またはシールされた端部２０４ａ、２０６ａを切断もしくは裁断すること等によってシール解除され、それぞれ、第１および第２の付属物２０４、２０６の個別のチャネル２０５、２０７へのアクセスを可能にし得る、シールされた端部２０４ａ、２０６ａを含む。
【００４３】
試料バッグ２００を用いた組織の細切除去と、それぞれ、個別の第１および第２の付属物２０４、２０６のチャネル２０５、２０７内からのモルセレータ「Ｍ」およびスコープ「Ｓ」の除去とに続いて、チャネル２０５、２０７は、任意の好適な様式で再シールされてもよい。例えば、チャネル２０５、２０７は、溶接によって、または第１および第２の付属物２０４、２０６の端部を折畳し、折畳された端部を縫合、ステープル留め、もしくは別様に固着することによって、シールされてもよい。個別の第１および第２の付属物２０４、２０６のチャネル２０５、２０７をシールすることによって、試料バッグ２００の空洞２０３内に残っている任意の材料は、試料バッグ２００が患者から除去されるにつれて、試料バッグ２００の第１および第２の付属物２０４、２０６から漏出することを防止される。
【００４４】
腹腔鏡下手技の間、試料バッグ２００は、公知の方法を使用して、患者の体腔「Ｃ」内に受容され、位置付けられる。患者から除去されるべき組織、例えば、胆嚢「Ｇ」が、試料バッグ２００の開放端２００ａを通して、試料バッグ２００の空洞２０３内に留置される。試料バッグ２００の開放端２００ａは、次いで、患者「Ｐ」の切開「Ｉ」を通して後退される。
【００４５】
手技の間の任意の時間において、臨床医は、鉗子、把持装置、および／または別の器具（図示せず）を使用して、第１および第２の付属物２０４、２０６を把持し、切開「Ｉ」、「Ｉ２」を通して指向してもよい。代替として、第１および第２の付属物２０４、２０６の一方または両方は、体腔「Ｃ」内に全体として残っているまま、アクセスされてもよい。付属物２０４、２０６のシールされた端部２０４ａ、２０６ａは、それぞれ、次いで、前述のように、シール解除され、それぞれ、第１および第２の付属物２０４、２０６の個別のチャネル２０５、２０７へのアクセスを提供する。アンカまたは他の保持手段（図示せず）が、第１および第２の付属物２０４、２０６のそれぞれに取り付けられ、第１および第２の付属物２０４、２０６が体腔「Ｃ」内で後退されることを防止してもよい。
【００４６】
スコープ「Ｓ」およびモルセレータ「Ｍ」は、次いで、それぞれ、第１および第２の付属物２０４、２０６の個別のチャネル２０５、２０７を通して挿入され、試料バッグ２００の空洞２０３の中に誘導され、試料バッグ２００の内容物の視認および細切除去を可能にする。代替として、スコープ「Ｓ」および／またはモルセレータ「Ｍ」は、試料バッグ２００の開放端２００ａを通して受容される。送気ガスは、スコープ「Ｓ」およびモルセレータ「Ｍ」の一方もしくは両方を通して、または代替手段、例えば、送気トロカールを通して、試料バッグ２００の空洞２０３に提供され、試料バッグ２００の空洞２０３を拡大し、可視化を改良することができる。送気ガスは、試料バッグ２００の開放端２００ａを通して、第１および第２の付属物２０４、２０６の一方もしくは両方を通して、第３の付属物（図示せず）を通して、および／または試料バッグ２００の壁内に生成された開口部（図示せず）を通して、空洞２０３に提供されてもよいことが想定される。
【００４７】
スコープ「Ｓ」の試料バッグ２００の空洞２０３内への位置付けは、臨床医が、モルセレータ「Ｍ」の動作の間、試料バッグ２００の空洞２０３の内容物を視認することを可能にする。試料バッグ２００の空洞２０３からの細切除去された組織の除去に応じて、または組織のサイズが切開「Ｉ」を通した試料バッグの除去を可能にするために十分に縮小されたことの視覚的判定に応じて、スコープ「Ｓ」およびモルセレータ「Ｍ」は、試料バッグ２００の空洞２０３から、かつそれぞれ、第１および第２の付属物２０４、２０６のチャネル２０５、２０７から抜去される。
【００４８】
第１および第２の付属物２０４、２０６のチャネル２０５、２０７は、それぞれ、次いで、シールされ、切開「Ｉ」を通した試料バッグ２００の除去の間、試料バッグ２００の空洞２０３内から体腔「Ｃ」の中への任意の材料の漏出を防止する。前述のように、個別の第１および第２の付属物２０４、２０６のチャネル２０５、２０７は、溶接によって、または第１および第２の付属物２０４、２０６の端部を折畳し、第１および第２の付属物２０４、２０６の折畳された端部を縫合、ステープル留めもしくは別様に固着することによって、シールされてもよい。試料バッグ２００は、次いで、切開「Ｉ」を通して体腔「Ｃ」から除去される。代替として、把持装置が、第１および第２の付属物２０４、２０６の開放端を把持するために使用されてもよく、第１および第２の付属物２０４、２０６は、試料バッグ２００を患者「Ｐ」の体腔「Ｃ」内から抜去するために使用されることができる。
【００４９】
第１および第２の付属物２０４、２０６は、物体の不在下において、および／または第１および第２の付属物２０４、２０６を通して挿入される物体を中心として、シールを維持するために、例えば、それぞれ、第１および第２の付属物２０４、２０６と試料バッグ２００の接合部に、第１および第２の付属物２０４、２０６の先端に、または第１および第２の付属物の長さに沿って、シール２０８、２１０を含んでもよい。シール２０８、２１０は、ダックビル、ジョーカー、またはゼロ閉鎖等の任意の従来公知のシールまたは弁であってもよい。代替として、シール２０８、２１０は、シールの組み合わせを含んでもよい。
【００５０】
ここで図３を参照すると、本開示による試料バッグの別の実施形態が、概して、試料バッグ３００として示される。試料バッグ３００は、開放端３００ａと、閉鎖端３００ｂとを含み、患者から除去されるべき組織、例えば、胆嚢「Ｇ」を受容するための空洞３０３を画定する。試料バッグ３００はさらに、１つもしくはそれを上回る窓３０４および／または１つもしくはそれを上回る視認ポート３０６を含み、試料バッグ３００の内容物の視認を可能にする。
【００５１】
窓３０４は、例えば、溶接または成形によって、試料バッグ３００の壁と一体的に形成される、またはそれに固着して添着されてもよく、試料バッグ３００の外側から、すなわち、体腔「Ｃ」内から試料バッグ３００の内容物の少なくとも一部の視認を可能にする、透明または半透明材料から形成される。窓３０４は、試料バッグ３００の長さの一部または全部に沿って延在してもよく、試料バッグ３００の円周の一部または全部を中心として延在してもよく、円形または長方形等の任意の形状であってもよい。加えて、試料バッグ３００は、２つまたはそれを上回る窓（図示せず）を含み、種々の角度からの試料バッグ３００の内容物の視認を可能にしてもよい。
【００５２】
図３Ａをさらに参照すると、試料バッグ３００の壁内の窓３０４の代わりに、またはそれに加え、試料バッグ３００は、１つまたはそれを上回る視認ポートまたは光学コネクタ３０６を含んでもよい。一実施形態では、視認ポート３０６は、試料バッグ３００に固定して固着されるベース３０８と、スコープ「Ｓ」の遠位端を選択的に受容する、またはそれに係合するための可撓性フランジ３１０とを含む。スリーブ３１２は、視認ポート３０６のフランジ３１０から試料バッグ３００の空洞３０３の中に延在し、透明閉鎖遊離端３１２ａを含む。スリーブ３１２は、スコープ「Ｓ」を受容し、試料バッグ３００の内容物の視認を可能にする。代替として、視認ポート３０６は、フランジ３１０の内側端部に位置付けられる透明窓３１４を含み、試料バッグ３００の壁と同一平面にあってもよい。透明窓３１４は、スコープ「Ｓ」を試料バッグ３００の空洞３０３の中に延在させる要件を伴わずに、試料バッグ３００の内容物の少なくとも一部の視認を可能にする。
【００５３】
腹腔鏡下手技の間、試料バッグ３００は、公知の方法を使用して、患者の体腔「Ｃ」内に受容され、位置付けられる。患者から除去されるべき組織、例えば、胆嚢「Ｇ」が、試料バッグ３００の開放端３００ａを通して、試料バッグ３００の空洞３０３内に留置される。開放端３００ａは、次いで、患者「Ｐ」の切開「Ｉ」を通して後退され、臨床医に、試料バッグ３００の空洞３０３へのアクセスを提供する。モルセレータ「Ｍ」が、次いで、試料バッグ３００の開放端３００ａを通して、試料バッグ３００の空洞３０３内に位置付けられ、スコープ「Ｓ」が、窓３０４に隣接して位置付けられる、または試料バッグ３００の視認ポート３０６に固着され、試料バッグ３００内の視認を可能にする。送気ガスが、前述のように、試料バッグ３００の空洞３０３に供給される。
【００５４】
モルセレータ「Ｍ」が、試料バッグ３００の空洞３０３内で動作されるにつれて、空洞３０３の内容物は、窓３０４および／または視認ポート３０６を通して、スコープ「Ｓ」によって視認される。視認ポート３０６のフランジ３１０の可撓性および／または試料バッグ３００の可撓性は、スコープ「Ｓ」が、試料バッグ３００の空洞３０３内の可視化を最適化するように操作されることを可能にする。細切除去の間の試料バッグ３００の空洞３０３からの組織の除去に応じて、または組織のサイズが切開「Ｉ」を通した試料バッグ３００の除去を可能にするために十分に縮小されたことの臨床医による視覚的判定に応じて、モルセレータ「Ｍ」が、空洞３０３から除去され、必要に応じて、スコープ「Ｓ」が、視認ポート３０６から分離される。試料バッグ３００は、次いで、切開「Ｉ」を通して除去される。
【００５５】
ここで図４を参照すると、本開示による試料バッグの別の実施形態が、概して、試料バッグ４００として示される。試料バッグ４００は、開放端４００ａと、閉鎖端４００ｂとを含み、患者から除去されるべき組織、例えば、胆嚢「Ｇ」を受容するための空洞４０３を画定する。試料バッグ４００はさらに、少なくともスコープ「Ｓ」を受容し、試料バッグの内容物４００の視認を可能にするための１つまたはそれを上回るポート４０４を含む。
【００５６】
ポート４０４は、試料バッグ４００の壁と一体的に形成される、またはその中に固着して添着されてもよい。ポート４０４は、スコープ「Ｓ」の受容のために試料バッグ４００の壁を通して延在する、少なくとも１つの再シール可能または自己シール式開口部４０５を画定する。ポート４０４は、スコープ「Ｓ」の不在下で開口部４０５をシールする、および／またはスコープ「Ｓ」を液密様式で受容するように構成される。シールは、ダックビル、ジョーカー、およびゼロ閉鎖等の任意の従来のシールまたは弁であってもよい。代替として、シールは、シールの組み合わせを含んでもよい。試料バッグ４００は、種々の角度から試料バッグ４００にアクセスするための複数のポート（図示せず）を含んでもよい。
【００５７】
腹腔鏡下手技の間、試料バッグ４００は、公知の方法を使用して、患者の体腔「Ｃ」内に受容され、位置付けられる。患者から除去されるべき組織、例えば、胆嚢「Ｇ」が、試料バッグ４００の開放端４００ａを通して、試料バッグ４００の空洞４０３内に留置される。開放端４００ａは、次いで、患者「Ｐ」の切開「Ｉ」を通して後退され、臨床医に、試料バッグ４００の空洞４０３へのアクセスを提供する。モルセレータ「Ｍ」が、次いで、試料バッグ４００の開放端４００ａを通して試料バッグ４００の空洞４０３内に受容され、スコープ「Ｓ」が、試料バッグ４００のポート４０４を通して受容され、試料バッグ４００内の視認を可能にする。送気ガスが、前述のように、試料バッグ４００の空洞４０３に供給される。
【００５８】
モルセレータ「Ｍ」が、試料バッグ４００の空洞４０３内で動作されるにつれて、空洞４０３の内容物が、スコープ「Ｓ」によって視認される。ポート４０４は、それを通してスコープ「Ｓ」の操作を可能にし、試料バッグ４００の空洞４０３内の可視化を可能にする、および／または視認を最適化するように構成される。細切除去の間の試料バッグ４００の空洞４０３からの組織の除去に応じて、または組織のサイズが切開「Ｉ」を通した試料バッグ４００の除去を可能にするために十分に縮小されたことの臨床医による視覚的判定に応じて、モルセレータ「Ｍ」が、空洞４０３内から除去され、スコープ「Ｓ」が、視認ポート４０４内から除去される。前述のように、ポート４０４は、開口部４０５内からのスコープ「Ｓ」の除去に応じて、シールするように構成される。試料バッグ４００は、次いで、直接、切開「Ｉ」を通して除去される。
【００５９】
ここで図５を参照すると、本開示による試料バッグの別の実施形態が、概して、試料バッグ５００として示される。試料バッグ５００は、開放端５００ａと、閉鎖端５００ｂとを含み、患者から除去されるべき組織、例えば、胆嚢「Ｇ」を受容するための空洞５０３を画定する。試料バッグ５００は、試料バッグ５００の内容物のビューを提供するための１つまたはそれを上回るカメラ５０４を含む。試料バッグ５００内に受容されたカメラ５０４は、モニタ５０上での試料バッグ５００の内容物の視認のために、Ｗｉ−Ｆｉによって、または他の無線手段を通して、受信器５２に無線で接続される。
【００６０】
実施形態では、試料バッグ５００内に受容されたカメラ５０４は、錠剤カメラである。１つまたはそれを上回る錠剤カメラ５０４は、試料バッグ５００上の内壁に固着され、試料バッグ５００の空洞５０３のビューを提供してもよい。代替として、錠剤カメラ５０４は、試料バッグ内に自由に受容され、遠隔制御によって錠剤カメラを位置付け、試料バッグ５００の空洞５０３内の内容物の視認を最適化するための機構（図示せず）を含む。
【００６１】
図５Ａおよび５Ｂをさらに参照すると、代替実施形態では、カメラ５０４は、最適視認のために、カメラ５０４を試料バッグ５００の空洞５０３内に位置付けるための操向機構５１０に取り付けられる。例示であって、本発明の範囲を限定することを意図するものではない、操向機構５１０は、スリーブ５１２と、少なくとも部分的に可撓性であって、スリーブ５１２を通して受容される、ロッド５１４とを含む。カメラ５０４は、スリーブ５１２の遠位端５１２ｂ上に配置される。実施形態では、スリーブ５１２は、可撓性、柔軟性、または形状記憶材料から形成される。ハンドル５１６が、臨床医による動作可能係合のために、可撓性ロッド５１４の近位端５１４ａに取り付けられる。可撓性ロッド５１４の遠位端５１４ｂは、スリーブ５１４内の可撓性ロッド５１４の縦方向前進が、矢印「Ａ」によって示されるように、スリーブ５１２の遠位端を関節運動させるように、スリーブ５１２の遠位端５１２ｂに添着される。スリーブ５１２は、可撓性ロッド５１４の縦方向前進の間、可撓性ロッド５１４を収容するためのスロット５１３を画定する。スリーブ５１２の遠位端５１２ｂの関節運動は、カメラ５０４が、試料バッグ５００の空洞５０３内を視認するために選択的に位置付けられることを可能にする。
【００６２】
腹腔鏡下手技の間、試料バッグ５００は、公知の方法を使用して、患者の体腔「Ｃ」内に受容され、位置付けられる。試料バッグ５００に取り付けられる錠剤カメラ５０４を利用するとき、錠剤カメラ５０４は、患者の体腔内における試料バッグ５００の受容に先立って、試料バッグの内壁に取り付けられてもよい。患者から除去されるべき組織、例えば、胆嚢「Ｇ」が、次いで、試料バッグ５００の開放端５００ａを通して、試料バッグ５００の空洞５０３内に留置される。開放端５００ａは、次に、患者「Ｐ」の切開「Ｉ」を通して後退され、臨床医に、試料バッグ５００の空洞５０３へのアクセスを提供する。
【００６３】
試料バッグ５００内にまだ取り付けられていない、または受容されていない場合、錠剤カメラ５０４は、試料バッグ５００の開放端５００ａを通して試料バッグ５００内に受容される。操向機構５１０に取り付けられたカメラ５０４を利用するとき、カメラ５０４および操向機構５１０のスリーブ５１２が、試料バッグ５００の開放端５００ａを通して、空洞５０３の中に挿入される。モルセレータ「Ｍ」が、次いで、試料バッグ５００の開放端５００ａを通して、試料バッグ５００の空洞５０３内に受容される。送気ガスが、前述のように、試料バッグ５００の空洞５０３に供給される。
【００６４】
モルセレータ「Ｍ」が、試料バッグ５００の空洞５０３内で動作されるにつれて、カメラ５０４は、試料バッグ５００の空洞５０３の内容物を視認するように位置付けられる。前述のように、カメラ５０４は、遠隔制御によって、または操向機構５１０を使用することによって、試料バッグ５００の空洞５０３の最適視認のために位置付けられる。組織が細切除去されるにつれて、カメラ５０４は、受信器５２と無線で通信し、臨床医による視認のために、画像をモニタ５０に提供する。
【００６５】
細切除去の間の試料バッグ５００の空洞５０３からの組織の除去に応じて、または組織のサイズが切開「Ｉ」を通した試料バッグ５００の除去を可能にするために十分に縮小されたことの臨床医による視覚的判定に応じて、モルセレータ「Ｍ」が、試料バッグ５００の空洞５０３内から除去される。カメラ５０４もまた、試料バッグ５００の空洞５０３から除去されてもよい。試料バッグ５００および錠剤カメラ５０４が、次いで、切開「Ｉ」を通して除去される。
【００６６】
ここで図６を参照すると、本開示による別の実施形態が、概して、試料バッグ６００として示される。試料バッグ６００は、開放端６００ａと、閉鎖端６００ｂとを含み、患者「Ｐ」から除去されるべき組織、例えば、胆嚢「Ｇ」を受容するための空洞６０３を画定する。付属物６０４が、以下に説明されるように、手技の間、試料バッグ６００に固着して添着される。１つのみの付属物を含むように示されるが、２つまたはそれを上回る付属物が、試料バッグ６００に添着されてもよいことが想定される。付属物６０４は、試料バッグ６００の空洞６０３と連通し、そこへのアクセスを提供するチャネル６０５を画定する。付属物６０４のチャネル６０５は、モルセレータ「Ｍ」、スコープ（図示せず）、および／または他の器具（図示せず）を液密様式で選択的に受容するように定寸される。
【００６７】
図６を継続して参照すると、付属物６０４は、その遠位端６０４ｂを中心として受容されたフランジ６０６を含む。フランジ６０６は、試料バッグ６００の壁内に形成された開口部６０７を通した付属物６０４の遠位端６０４ｂの挿入を可能にするように圧潰する。開口部６０７は、示されるように、鋭的トロカール「Ｔ」とともに、または解剖刀もしくは他の切断器具とともに形成されてもよい。鋭的トロカール「Ｔ」はまた、試料バッグ６００内に形成される開口部６０７を通した付属物６０４の遠位端６０４ｂの挿入を促進するために使用されてもよい。いったん付属物６０４の遠位端６０４ｂが、開口部６０７を通して、試料バッグ６００の空洞６０３内に受容されると、フランジ６０６は、拡張され、付属物６０４は、フランジ６０６が試料バッグ６００の内壁に係合するまで、開口部６０７を通して後退される。フランジ６０６上の接着剤は、フランジ６０６を試料バッグ６００に液密様式で固着する。代替実施形態では、付属物６０４のフランジ６０６は、試料バッグ６００の外壁に固着される。付属物６０４の近位端は、患者「Ｐ」の腹壁「Ｗ」を通して受容され、試料バッグ６００の空洞６０３にアクセスするための付加的開口部を提供するように構成される。
【００６８】
腹腔鏡下手技の間、試料バッグ６００は、公知の方法を使用して、患者の体腔「Ｃ」内に受容され、位置付けられる。患者から除去されるべき組織、例えば、胆嚢「Ｇ」が、試料バッグ６００の開放端６００ａを通して、試料バッグ６００の空洞６０３内に留置される。試料バッグ６００の開放端６００ａは、次いで、患者「Ｐ」の切開「Ｉ」を通して後退され、臨床医に、試料バッグ６００の空洞６０３へのアクセスを提供する。
【００６９】
１つまたはそれを上回る付属物６０４は、次いで、前述のように、試料バッグ６００に取り付けられてもよい。アンカまたは他の保持手段もしくは機構（図示せず）が、付属物６０４に取り付けられ、付属物６０４が体腔「Ｃ」内の切開「Ｉ２」を通して後退されることを防止することができる。
【００７０】
スコープ「Ｓ」が、次いで、付属物６０４のチャネル６０５を通して挿入され、試料バッグ６００の空洞６０３の中に誘導され、試料バッグの内容物６００の視認を可能にし、モルセレータ「Ｍ」が、試料バッグ６００の開放端６００ａを通して受容される。送気ガスが、前述のように、試料バッグ６００の空洞６０３に提供されることができる。
【００７１】
試料バッグ６００の空洞６０３内へのスコープの位置付けは、臨床医が、モルセレータ「Ｍ」の動作の間、試料バッグ６００の空洞６０３の内容物を視認することを可能にする。細切除去の間の試料バッグ６００の空洞６０３からの組織の除去に応じて、または組織が切開「Ｉ」を通した試料バッグ６００の除去を可能にするために十分に細切除去されたことの判定に応じて、スコープが、付属物６０４のチャネル６０５から除去され、モルセレータ「Ｍ」が、試料バッグ６００の空洞６０３から抜去される。付属物６０４のチャネル６０５は、次いで、前述のように、シールされ、切開「Ｉ」を通した試料バッグ６００の除去の間、試料バッグ６００の空洞６０３内からの任意の物質の漏出を防止する。試料バッグ６００は、次いで、切開「Ｉ」を通して体腔「Ｃ」から除去される。代替として、把持装置が、付属物６０４の開放端を把持するために使用されてもよく、付属物６０４は、試料バッグ６００を体腔「Ｃ」内から抜去するために使用される。
【００７２】
ここで図７を参照すると、本開示による試料バッグの別の実施形態が、概して、試料バッグ７００として示される。試料バッグ７００は、開放端７００ａと、閉鎖端７００ｂとを含み、患者から除去されるべき組織、例えば、胆嚢「Ｇ」を受容するための空洞７０３を画定する。付属物７０４は、試料バッグ７００と一体的に形成される、またはそれに固着して添着される。１つのみの付属物を含むように示されるが、試料バッグ７００は、複数の付属物を含んでもよいことが想定される。付属物７０４は、試料バッグ７００の空洞７０３と連通し、そこへのアクセスを提供するチャネル７０５を画定する。付属物７０４のチャネル７０５は、モルセレータ「Ｍ」、スコープ「Ｓ」、および／または他の器具（図示せず）を液密様式で選択的に受容するように定寸される。
【００７３】
付属物７０４は、試料バッグ７００が体腔「Ｃ」内に受容されると、患者「Ｐ」の腹壁「Ｗ」を通して穿通するための先鋭先端または鋭的縁７０６を形成する、シールされた端部７０４ａを含む。付属物７０４は、いったん腹壁「Ｗ」を通して受容されると、臨床医に、先鋭先端７０６を取り外し、スコープ「Ｓ」および／または他の器具（図示せず）をそれを通して指向するために十分な材料を提供する、長さを含む。先鋭先端７０６は、試料バッグ７００と同一材料から、または硬質ポリマー、金属、もしくは他の好適な材料から形成されてもよい。
【００７４】
試料バッグの内容物７００の細切除去および付属物７０４のチャネル７０５内からのスコープ「Ｓ」の除去に続いて、チャネル７０５は、前述のように、シールされ、試料バッグ７００が患者「Ｐ」から除去されるにつれて、試料バッグ７００の空洞７０３内に残っている任意の物質が体腔「Ｃ」の中に漏出することを防止する。
【００７５】
腹腔鏡下手技の間、試料バッグ７００は、公知の方法を使用して、患者の体腔「Ｃ」内に受容され、位置付けられる。患者「Ｐ」から除去されるべき組織、例えば、胆嚢「Ｇ」が、試料バッグ７００の開放端７００ａを通して、試料バッグ７００の空洞７０３内に留置される。試料バッグ７００の開放端７００ａは、次いで、患者「Ｐ」の切開「Ｉ」を通して後退され、臨床医に、試料バッグ７００の空洞７０３へのアクセスを提供する。
【００７６】
手技の間の任意の時間において、臨床医は、鉗子、把持装置、および／または別の器具（図示せず）を使用して、付属物７０４を把持し、付属物７０４の先鋭端部７０６を患者「Ｐ」の腹壁「Ｗ」を通して指向してもよい。付属物７０４のシールされた端部７０４ａは、次いで、取り外され、付属物７０４のチャネル７０５へのアクセスを提供する。アンカまたは他の保持手段（図示せず）が、付属物７０４に取り付けられ、付属物７０４が腹壁「Ｗ」を通して体腔「Ｃ」の中に後退されることを防止してもよい。
【００７７】
モルセレータ「Ｍ」が、次いで、試料バッグ７００の開放端７００ａを通して受容され、スコープ「Ｓ」が、付属物７０４のチャネル７０５を通して挿入され、モルセレータ「Ｍ」およびスコープ「Ｓ」はそれぞれ、試料バッグ７００の空洞７０３の中に誘導され、試料バッグの内容物７００の視認および細切除去を可能にする。送気ガスが、前述のように、試料バッグ７００の空洞７０３に供給される。
【００７８】
試料バッグ７００の空洞７０３内へのスコープ「Ｓ」の位置付けは、臨床医が、モルセレータ「Ｍ」の動作の間、試料バッグ７００の空洞７０３の内容物を可視化することを可能にする。細切除去の間の試料バッグ７００の空洞７０３からの組織の除去に応じて、または組織が切開「Ｉ」を通した試料バッグ７００の除去を可能にするために十分に細切除去されたことの臨床医による視覚的判定に応じて、スコープ「Ｓ」およびモルセレータ「Ｍ」が、試料バッグ７００の空洞７０３から抜去される。付属物７０４のチャネル７０５は、次いで、シールされ、体腔「Ｃ」内の試料バッグ７００の空洞７０３内からの任意の物質の漏出を防止する。前述のように、付属物７０４のチャネル７０５は、溶接によって、または付属物７０４の端部を折畳し、付属物７０４の折畳された端部を縫合、ステープル留めもしくは別様に固着することによって、シールされてもよい。試料バッグ７００は、次いで、切開「Ｉ」を通して体腔「Ｃ」から除去される。代替として、把持装置が、使用され、付属物７０４の開放端７００ａを把持してもよく、付属物７０４が、患者「Ｐ」内から試料バッグ７００を抜去するために使用される。
【００７９】
ここで図８を参照すると、本開示による試料バッグの別の実施形態が、概して、試料バッグ８００として示される。試料バッグ８００は、外側バッグ８０２と、内側バッグ８０４とを含む。外側バッグ８０２は、開放端８０２ａと、閉鎖端８０２ｂとを含み、内側バッグ８０４が受容される、空洞８０３を画定する。内側バッグ８０４は、開放端８０４ａと、閉鎖端８０４ｂとを含み、患者「Ｐ」から除去されるべき組織、例えば、胆嚢「Ｇ」を受容するための空洞８０５を画定する。外側バッグ８０２は、リップストップナイロンまたは他の好適な材料から形成され、内側バッグ８０４は、クリアなポリマーまたは他の透明材料から形成される。外側バッグ８０２は、外側および内側バッグ８０２、８０４が送気されると、内側バッグ８０４と外側バッグ８０２との間に空間が存在し、外側バッグ８０２内に形成される開口部８０７を通して受容されるスコープ「Ｓ」の操作を可能にするために十分なサイズである。
【００８０】
腹腔鏡下手技の間、外側および内側バッグ８０２、８０４を含む、試料バッグ８００が、公知の方法を使用して、患者「Ｐ」の体腔「Ｃ」内に受容され、位置付けられる。患者から除去されるべき組織、例えば、胆嚢「Ｇ」が、次いで、内側バッグ８０４の開放端８０４ａを通して、内側バッグ８０４の空洞８０５内に留置される。それぞれ、試料バッグ８００の外側および内側バッグ８０２、８０４の開放端８０２ａ、８０４ａは、次いで、患者「Ｐ」の切開「Ｉ」を通して後退され、臨床医に、それぞれ、試料バッグ８００の外側および内側バッグ８０２、８０４の空洞８０３、８０５へのアクセスを提供する。
【００８１】
送気ガスが、次いで、開放端８０２ａを通して外側バッグ８０２の空洞８０３に提供され、外側バッグ８０２に送気し、それによって、外側バッグ８０２と内側バッグ８０４との間に空間を提供する。開口部８０７が、次いで、解剖刀、切断トロカール、または他の好適な器具を使用して、外側バッグ８０２内に生成され、スコープ「Ｓ」の受容のためのアクセスを提供する。スコープ「Ｓ」は、次いで、外側バッグ８０２内の開口部８０７を通して挿入される。モルセレータ「Ｍ」が、次に、内側バッグ８０４の開放端８０４ａを通して、内側バッグ８０４の空洞８０５内に受容される。
【００８２】
送気ガスは、開放端８０２ａを通して、外側バッグ８０２の空洞８０３に提供され続けてもよい、または送気ガスは、外側バッグ８０２内の開口部８０７を通して、もしくは外側バッグ８０２内に形成される付加的開口部を通して提供されてもよい。モルセレータ「Ｍ」は、送気ガスを内側バッグ８０４の空洞８０５に提供してもよい。代替として、送気ガスは、送気トロカール（図示せず）または他の手段を使用して、内側バッグ８０４の空洞８０５に提供される。モルセレータ「Ｍ」が、内側バッグ８０４の空洞８０５内で動作されるにつれて、スコープ「Ｓ」は、外側バッグ８０４内で操作され、内側バッグ８０４を通して内側バッグ８０４の空洞８０５の内容物を視認する。
【００８３】
細切除去の間の内側バッグ８０４の空洞８０５からの組織の除去に応じて、または、例えば、組織のサイズが切開「Ｉ」を通した試料バッグ８００の除去を可能にするために十分に縮小されたことの臨床医による視覚的判定に応じて、モルセレータ「Ｍ」が、内側バッグ８０４の空洞８０５内から除去され、スコープ「Ｓ」が、外側バッグ８０２の空洞８０３内から除去される。外側および内側バッグ８０２、８０４を含む、試料バッグ８００は、次いで、切開「Ｉ」を通して除去される。
【００８４】
ここで図９を参照すると、本開示による試料バッグの別の実施形態が、概して、試料バッグ９００として示される。試料バッグ９００は、開放端９００ａと、閉鎖端９００ｂとを含み、患者から除去されるべき組織、例えば、胆嚢「Ｇ」を受容するための空洞９０３を画定する。試料バッグ９００は、赤外線撮像スコープ「Ｓ」を使用して、それを通して視認を可能にする材料から形成される。
【００８５】
腹腔鏡下手技の間、試料バッグ９００は、公知の方法を使用して、患者「Ｐ」の体腔「Ｃ」内に受容され、位置付けられる。患者から除去されるべき組織、例えば、胆嚢「Ｇ」が、試料バッグ９００の開放端９００ａを通して、試料バッグ９００の空洞９０３内に留置される。開放端９００ａは、次いで、患者「Ｐ」の切開「Ｉ」を通して後退され、臨床医に、試料バッグ９００の空洞９０３へのアクセスを提供する。
【００８６】
モルセレータ「Ｍ」が、試料バッグ９００の開放端９００ａを通して、試料バッグ９００の空洞９０３内に受容される。送気ガスが、前述のように、試料バッグ９００の空洞９０３に提供される。赤外線撮像スコープ「Ｓ」が、次いで、体腔「Ｃ」内に位置付けられ、試料バッグの内容物９００の赤外線画像を提供する。
【００８７】
細切除去の間の試料バッグ９００の空洞９０３からの組織の除去に応じて、または組織のサイズが切開「Ｉ」を通した試料バッグ９００の除去を可能にするために十分に縮小されたことの臨床医による視覚的判定に応じて、モルセレータ「Ｍ」が、試料バッグ９００の空洞９０３内から除去される。試料バッグ９００は、次いで、切開「Ｉ」を通して除去される。
【００８８】
ここで図１０を参照すると、本開示による試料バッグの別の実施形態が、概して、試料バッグ１０００として示される。試料バッグ１０００は、開放端１０００ａと、閉鎖端１０００ｂとを含み、患者から除去されるべき組織、例えば、胆嚢「Ｇ」を受容するための空洞１００３を画定する。試料バッグ１０００は、超音波を使用して、それを通して視認を可能にする材料から形成される。
【００８９】
腹腔鏡下手技の間、試料バッグ１０００は、公知の方法を使用して、患者「Ｐ」の体腔「Ｃ」内に受容され、位置付けられる。患者から除去されるべき組織、例えば、胆嚢「Ｇ」が、試料バッグ１０００の開放端１０００ａを通して、試料バッグ１０００の空洞１００３内に留置される。開放端１０００ａは、次いで、患者「Ｐ」の切開「Ｉ」を通して後退され、臨床医に、試料バッグ１０００の空洞１００３へのアクセスを提供する。
【００９０】
モルセレータ「Ｍ」が、試料バッグ１０００の開放端１０００ａを通して、試料バッグ１０００の空洞１００３内に受容される。送気ガスが、前述のように、試料バッグ１０００の空洞１００３に提供される。超音波変換器またはワンド「Ｕ」が、次いで、試料バッグ１０００に近接した腹壁「Ｗ」に対して留置され、臨床医に、試料バッグ１０００の空洞１００３の内容物の画像を提供する。したがって、試料バッグ１０００の内容物の可視化が、スコープまたは他の視認手段を用いて患者「Ｐ」の体腔「Ｃ」にアクセスせずに遂行される。
【００９１】
細切除去の間の試料バッグ１０００の空洞１００３からの組織の除去に応じて、または組織のサイズが切開「Ｉ」を通した試料バッグ１０００の除去を可能にするために十分に縮小されたことの臨床医による視覚的判定に応じて、モルセレータ「Ｍ」が、試料バッグ１０００の空洞１００３内から除去される。存在する場合、細切除去された組織を含む、試料バッグ１０００は、次いで、切開「Ｉ」を通して除去される。
【００９２】
ここで図１１を参照すると、本開示による試料バッグの別の実施形態が、概して、試料バッグ１１００として示される。試料バッグ１１００は、開放端１１００ａと、閉鎖端１１００ｂとを含み、患者から除去されるべき組織、例えば、胆嚢「Ｇ」を受容するための空洞１１０３を画定する。試料バッグ１１００は、試料バッグの内容物１１００のビューを提供するための光ファイバ「Ｆ」を含む。以下にさらに詳細に説明されるであろうように、光ファイバ「Ｆ」が、試料バッグ１１００の開放端１１００ａを通して受容され、したがって、腹壁「Ｗ」を通して、および／または試料バッグ１１００を通して、追加開口部を要求しない。光ファイバ「Ｆ」のサイズは、試料バッグ１１００の空洞１１０３内のより広範な視認範囲を可能にする。
【００９３】
腹腔鏡下手技の間、試料バッグ１１００は、公知の方法を使用して、患者の体腔「Ｃ」内に受容され、位置付けられる。患者から除去されるべき組織、例えば、胆嚢「Ｇ」が、試料バッグ１１００の開放端１１００ａを通して、試料バッグ１１００の空洞１１０３内に留置される。開放端１１００ａは、次いで、患者「Ｐ」の切開「Ｉ」を通して後退され、臨床医に、試料バッグ１１００の空洞１１０３へのアクセスを提供する。
【００９４】
モルセレータ「Ｍ」が、次いで、試料バッグ１１００の開放端１１００ａを通して、試料バッグ１１００の空洞１１０３内に受容される。前述のように、光ファイバ「Ｆ」もまた、試料バッグ１１００の開放端１１００ａを通して受容される。送気ガスが、前述のように、試料バッグ１１００の空洞１１０３に提供される。モルセレータ「Ｍ」が、試料バッグ１１００の空洞１１０３内で動作されるにつれて、光ファイバ「Ｆ」が、操作され、試料バッグ１１００の空洞１１０３の内容物を視認する。
【００９５】
細切除去の間の試料バッグ１１００の空洞１１０３からの組織の除去に応じて、または組織のサイズが切開「Ｉ」を通した試料バッグ１１００の除去を可能にするために十分に縮小されたことの臨床医による視覚的判定に応じて、モルセレータ「Ｍ」が、試料バッグ１１００の空洞１１０３から除去される。光ファイバ「Ｆ」もまた、試料バッグ１１００の空洞１１０３から除去される。試料バッグ１１００は、次いで、切開「Ｉ」を通して除去される。
【００９６】
ここで図１２を参照すると、本開示による試料バッグの別の実施形態が、概して、試料バッグ１２００として示される。試料バッグ１２００は、開放端１２００ａと、閉鎖端１２００ｂとを含み、患者から除去されるべき組織、例えば、胆嚢「Ｇ」を受容するための空洞１２０３を画定する。試料バッグ１２００は、切開「Ｉ」を通した試料バッグ１２００の開放端１２００ａの抜去に続いて試料バッグ１２００の開放端１２００ａ内に受容される、多腔型ポート１２０４を含む。実施形態では、示されるように、多腔型ポート１２０４は、略砂時計形状を含む。以下にさらに詳細に説明されるであろうように、多腔型アクセスポート１２０４は、少なくともモルセレータ「Ｍ」およびスコープ「Ｓ」を受容するための少なくとも２つの開口部および／または管腔１２０５、１２０７を含む。管腔１２０５、１２０７の各々は、前述のように、シールまたは弁を含んでもよい。多腔型アクセスポート１２０４はさらに、送気ガスを試料バッグ１２００の空洞１２０３に供給するための送気管腔１２０９と連通する、送気弁１２０８を含んでもよい。
【００９７】
腹腔鏡下手技の間、試料バッグ１２００は、公知の方法を使用して、患者の体腔「Ｃ」内に受容され、位置付けられる。患者から除去されるべき組織、例えば、胆嚢「Ｇ」が、試料バッグ１２００の開放端１２００ａを通して、試料バッグ１２００の空洞１２０３内に留置される。開放端１２００ａは、次いで、患者「Ｐ」の切開「Ｉ」を通して後退され、臨床医に、試料バッグ１２００の空洞１２０３へのアクセスを提供する。
【００９８】
多腔型アクセスポート１２０４が、次いで、試料バッグ１２００の開放端１２００ａ内および患者「Ｐ」内の切開「Ｉ」の中に受容される。多腔型アクセスポート１２０４は、試料バッグ１２００の開放端１２００ａ内および試料バッグ１２００と腹壁「Ｗ」との間に液密シールを生成する。
【００９９】
モルセレータ「Ｍ」が、次いで、多腔型アクセスポート１２０４内の管腔１２０５を通して、試料バッグ１２００の空洞１２０３内に受容され、スコープ「Ｓ」が、多腔型アクセスポート１２０４内の管腔１２０７を通して、試料バッグ１２００の空洞１２０３内に受容される。送気ガスが、送気ポート１２０８を通して、または前述のように、空洞１２０３に提供されることができる。モルセレータ「Ｍ」が、試料バッグ１２００の空洞１２０３内で動作されるにつれて、スコープ「Ｓ」が、多腔型ポート１２００を通して操作され、試料バッグ１２００の空洞１２０３の内容物を視認する。
【０１００】
細切除去の間の試料バッグ１２００の空洞１２０３からの組織の除去に応じて、または組織のサイズが切開「Ｉ」を通した試料バッグ１２００の除去を可能にするために十分に縮小されたことの臨床医による視覚的判定に応じて、モルセレータ「Ｍ」およびスコープ「Ｓ」が、多腔型アクセスポート１２０４を通して、試料バッグ１２００の空洞１２０３内から除去され、多腔型アクセスポート１２０４が、試料バッグ１２００の開放端１２００ａ内から除去される。試料バッグ１２００が、次いで、切開「Ｉ」を通して除去される。代替として、試料バッグ１２００は、多腔型アクセスポート１２０４が試料バッグ１２００の開放端１２００ａ内に受容されたまま、切開「Ｉ」を通して除去される。
【０１０１】
ここで図１３Ａおよび１３Ｂを参照すると、本開示による試料バッグの別の実施形態が、概して、試料バッグ１３００として示される。試料バッグ１３００は、開放端１３００ａと、閉鎖端１３００ｂとを含み、患者から除去されるべき組織、例えば、胆嚢「Ｇ」を受容するための空洞１３０３を画定する。
【０１０２】
試料バッグ１３００は、クリアもしくは透明であり得る、または伸展状態にあるときにクリアもしくは透明になり得る、伸展可能材料から形成される。スコープ「Ｓ」の遠位端による試料バッグ１３００の係合は、試料バッグ１３００を伸展させ、試料バッグ１３００の内容物の視認を可能にする。より具体的には、試料バッグ１３００の送気後、スコープ「Ｓ」が、試料バッグ１３００の外側表面に対して押圧されると、試料バッグ１３００は、内向きに伸展または変形され（図１３Ｂ）、バッグをより透明にする。試料バッグ１３００は、部分的または全体的に、伸展可能材料から形成されてもよい。実施形態では、試料バッグ１３００は、スコープ「Ｓ」を収容するための１つまたはそれを上回る伸展可能部分（図示せず）を含んでもよい。いくつかの実施形態では、伸展可能部分は、試料バッグ１３００を中心として、例えば、９０度（９０°）ずつまたは１２０（１２０°）ずつ均一に離間されてもよい。
【０１０３】
代替として、試料バッグ１３００は、スコープ「Ｓ」を直接その中に受容するために空洞１３０３の中に延在する、ブラダ（図示せず）を含んでもよい。ブラダは、試料バッグ１３００と一体的に、例えば、モノリシックに形成されてもよい、またはブラダは、接着剤を使用して、溶接もしくは成形を通して、もしくは任意の他の好適な様式で、試料バッグ１３００の壁に固着されてもよい。実施形態では、ブラダは、管状であるが、しかしながら、ブラダは、スコープ「Ｓ」を受容するために好適な任意の構成を含んでもよいことが想定される。ブラダは、試料バッグ１３００の空洞１３０３内におけるスコープ「Ｓ」の操作を可能にし、内容物のより良好な視認を促進する。
【０１０４】
腹腔鏡下手技の間、試料バッグ１３００は、公知の方法を使用して、患者の体腔「Ｃ」内に受容され、位置付けられる。患者から除去されるべき組織、例えば、胆嚢「Ｇ」が、試料バッグ１３００の開放端１３００ａを通して、試料バッグ１３００の空洞１３０３内に留置される。開放端１３００ａは、次いで、患者「Ｐ」の切開「Ｉ」を通して後退され、臨床医に、試料バッグ１３００の空洞１３０３へのアクセスを提供する。モルセレータ「Ｍ」が、次いで、試料バッグ１３００の開放端１３００ａを通して、試料バッグ１３００の空洞１３０３内に位置付けられる。送気ガスが、前述のように、試料バッグ１３００の空洞１３０３に供給される。試料バッグ１３００を形成するクリアな伸展可能材料が、次いで、スコープ「Ｓ」の遠位端によって係合され、内向きに押圧され、試料バッグ１３００を伸展させる。前述のように、試料バッグ１３００は、クリアもしくは透明であってもよい、または伸展されるとよりクリアもしくは透明になり、その中の内容物の視認を可能にしてもよい。
【０１０５】
モルセレータ「Ｍ」が、試料バッグ１３００の空洞１３０３内で動作されるにつれて、空洞１３０３の内容物が、スコープ「Ｓ」を使用して、試料バッグ１３００を形成するクリアな伸展可能材料を通して視認される。試料バッグ１３００の伸展可能性質は、試料バッグ１３００と係合される間、スコープ「Ｓ」が操作され、試料バッグ１３００の空洞１３０３内の可視化を最適化することを可能にする。試料バッグ全体１３００が、伸展可能材料から形成されるとき、および／または試料バッグ１３００が、複数の伸展可能部分（図示せず）を含むとき、スコープ「Ｓ」は、試料バッグ１３００の具体的内容物の視認を最適化するために、および／または臨床医による使用の容易性のために、試料バッグ１３００から係脱され、別の場所で再係合されてもよい。
【０１０６】
細切除去の間の試料バッグ１３００の空洞１３０３からの組織の除去に応じて、または組織のサイズが切開「Ｉ」を通した残りの組織を含有する試料バッグ１３００の除去を可能にするために十分に縮小されたことの臨床医による視覚的判定に応じて、モルセレータ「Ｍ」が、空洞１３０３内から除去される。試料バッグ１３００が、次いで、切開「Ｉ」を通して患者から除去される。
【０１０７】
ここで図１４Ａおよび１４Ｂを参照すると、本開示による試料バッグの別の実施形態が、概して、試料バッグ１４００として示される。試料バッグ１４００は、開放端１４００ａと、閉鎖端１４００ｂとを含み、患者から除去されるべき組織、例えば、胆嚢「Ｇ」を受容するための空洞１４０３を画定する。試料バッグ１４００はさらに、スコープ「Ｓ」を受容し、試料バッグ１４００の内容物の視認を可能にするように構成および適合される、１つまたはそれを上回るポート１４０４を含む。
【０１０８】
試料バッグ１４００のポート１４０４は、試料バッグ１４００の壁と一体的に形成される、またはその中に固着して添着されてもよい。ポート１４０４は、スコープ「Ｓ」の受容のために試料バッグ１４００の壁を通して延在する、少なくとも１つの再シール可能または自己シール式開口部１４０５を画定する。ポート１４０４は、開口部１４０５をスコープ「Ｓ」の不在下でシールし、かつスコープ「Ｓ」を液密様式で受容するように構成される。以下にさらに詳細に説明されるであろうように、いくつかの実施形態では、ポート１４０４は、ポート内からのスコープ「Ｓ」の抜去の間、スコープ「Ｓ」にわたって位置付けられる保護スリーブ１４０６に係合し、試料バッグ１４０４の空洞１４０３と患者「Ｐ」の体腔「Ｃ」の相互汚染を防止するように構成される。試料バッグ１４００は、種々の角度および体腔内の場所から試料バッグ１４００にアクセスするための複数のポート（図示せず）を含んでもよい。
【０１０９】
腹腔鏡下手技の間、試料バッグ１４００は、公知の方法を使用して、患者「Ｐ」の体腔「Ｃ」内に受容され、位置付けられる。患者から除去されるべき組織、例えば、胆嚢「Ｇ」が、試料バッグ１４００の開放端１４００ａを通して、試料バッグ１４００の空洞１４０３内に留置される。開放端１４００ａは、次いで、患者「Ｐ」の切開「Ｉ」を通して後退され、臨床医に、試料バッグ１４００の空洞１４０３へのアクセスを提供する。送気ガスが、前述のように、試料バッグ１４００の空洞１４０３に供給される。モルセレータ「Ｍ」が、次いで、試料バッグ１４００の開放端１４００ａを通して、試料バッグ１４００の空洞１４０３内に受容される。
【０１１０】
いくつかの実施形態では、保護スリーブまたはシース１４０６が、スコープの遠位端「Ｓ」にわたって位置付けられる。保護スリーブ１４０６は、クリアかつ可撓性であって、スコープ「Ｓ」を試料バッグ１４００の内容物から分離する。スコープ「Ｓ」は、その遠位端を被覆する保護スリーブ１４０６とともに、試料バッグ１４００のポート１４０４を通して受容され、試料バッグ１４００内の視認を可能にする。スリーブ１４０６の近位端１４０６ａは、試料バッグ１４００の外部に留まる。
【０１１１】
モルセレータ「Ｍ」が、試料バッグ１４００の空洞１４０３内で動作されるにつれて、空洞１４０３の内容物が、スコープ「Ｓ」を使用して視認される。ポート１４０４は、それを通してスコープ「Ｓ」の操作を可能にし、試料バッグ１４００の空洞１４０３内の可視化を可能にする、および／または視認を最適化するように構成される。細切除去の間の試料バッグ１４００の空洞１４０３からの組織の除去に応じて、または組織のサイズが切開「Ｉ」を通して残りの組織を含有する試料バッグ１４００の除去を可能にするために十分に縮小されたことの臨床医による視覚的判定に応じて、モルセレータ「Ｍ」が、空洞１４０３内から除去され、スコープ「Ｓ」が、ポート１４０４内から除去される。スコープ「Ｓ」が、ポート１４０４から除去されるにつれて、ポート１４０４は、保護スリーブ１４０６に係合し、保護スリーブ１４０６をスコープ「Ｓ」の遠位端から剥奪し、スコープ「Ｓ」が除去されるにつれて、保護スリーブ１４０６を試料バッグ１４００のポート１４０４内に留まらせる。
【０１１２】
前述のように、ポート１４０４は、開口部１４０５内からのスコープ「Ｓ」の除去に応じて、シールするように構成される。保護スリーブ１４０６を試料バッグ１４００のポート１４０４内に残すことによって、試料バッグ１４００の空洞１４０３の内容物と患者「Ｐ」の体腔「Ｃ」との間の任意の相互汚染が、最小限にされる、または排除される。スコープ「Ｓ」は、さらなる視認のために、および／または付加的手技を行うために、再挿入される、および／または別の器具が、試料バッグ１４００のポート１４０４ならびに保護スリーブ１４０６を通して挿入されてもよいことが想定される。試料バッグ１４００は、次いで、直接、切開「Ｉ」を通して除去されてもよい。
【０１１３】
当業者は、本明細書に具体的に説明され、付随の図面に図示されるデバイスおよび方法が、非限定的例示的実施形態であることを理解するであろう。一例示的実施形態に関連して図示または説明される要素および特徴は、本開示のスコープから逸脱することなく、別の実施形態の要素および特徴と組み合わせられてもよいことが想定される。同様に、当業者は、前述の実施形態に基づいて、本開示のさらなる特徴および利点を理解するであろう。故に、本開示は、添付の請求項によって示されるものを除き、具体的に図示および説明されたものによって限定されない。
【図１】
2017213361.tif 000003
【図１Ａ】
2017213361.tif 000004
【図２】
2017213361.tif 000005
【図３】
2017213361.tif 000006
【図３Ａ】
2017213361.tif 000007
【図４】
2017213361.tif 000008
【図５】
2017213361.tif 000009
【図５Ａ】
2017213361.tif 000010
【図５Ｂ】
2017213361.tif 000011
【図６】
2017213361.tif 000012
【図７】
2017213361.tif 000013
【図８】
2017213361.tif 000014
【図９】
2017213361.tif 000015
【図１０】
2017213361.tif 000016
【図１１】
2017213361.tif 000017
【図１２】
2017213361.tif 000018
【図１３Ａ】
2017213361.tif 000019
【図１３Ｂ】
2017213361.tif 000020
【図１４Ａ】
2017213361.tif 000021
【図１４Ｂ】
2017213361.tif 000022
【外国語明細書】
2017213361000001.pdf